(57)【要約】  本発明の実施形態は、タッチスクリーン誤り訂正方法、システム、装置および端末を提供する。本方法は、以下のステップを含む。入力ストローク動作を受信する。ストローク動作またはストロークタイプにより、前記ストローク動作が消去動作であると判定する。消去動作による訂正を実行し、消去動作によって訂正された文字をタッチスクリーンに表示する。本発明の実施形態の技術的解決手段は、入力誤りを有する文字のストロークを訂正することで、手書き速度を上げるために使用できる。
2010511260.tif 000002
【特許請求の範囲】
【請求項１】
入力ストローク動作を受信し、
前記ストローク動作またはストロークタイプにより、前記ストローク動作が消去動作であると判定した場合、前記消去動作による訂正を実行し、前記消去動作によって訂正された文字をタッチスクリーンに表示すること
を含む、タッチスクリーン誤り訂正方法。
【請求項２】
前記ストローク動作または前記ストロークタイプにより、前記ストローク動作が前記消去動作ではないと判定した場合、前記ストローク動作によるストロークを表示することをさらに含む、請求項１に記載のタッチスクリーン誤り訂正方法。
【請求項３】
前記ストローク動作または前記ストロークタイプにより、前記ストローク動作が前記消去動作であると判定することが、
前記ストロークタイプが第１の閾値条件に適合した場合、前記ストローク動作が前記ストロークタイプによる前記消去動作であると判定すること
を含む、請求項１に記載のタッチスクリーン誤り訂正方法。
【請求項４】
前記ストローク動作または前記ストロークタイプにより、前記ストローク動作が前記消去動作ではないと判定することが、
前記ストロークタイプが第２の閾値条件に適合した場合、前記ストローク動作が筆記動作であると判定すること
を含む、請求項２に記載のタッチスクリーン誤り訂正方法。
【請求項５】
前記ストローク動作または前記ストロークタイプにより、前記ストローク動作が前記消去動作であると判定することが、
前記ストローク動作が元のストロークをたどるか、または前記元のストロークを前記元のストロークの一定範囲内で逆にたどるかの少なくともいずれか、あるいは前記元のストロークの左右に頻繁に移動した場合、前記ストローク動作が前記消去動作であると判定すること
を含む、請求項１に記載のタッチスクリーン誤り訂正方法。
【請求項６】
前記消去動作によって訂正された文字を前記タッチスクリーンに表示することが
前記消去動作によって訂正された文字に合致する複数の文字を前記タッチスクリーンに表示し、選択情報を取得し、前記選択情報に対応する文字を表示すること
を含む、請求項１に記載のタッチスクリーン誤り訂正方法。
【請求項７】
取得ユニットと、判定ユニットと、ストローク消去ユニットと、表示ユニットと、を備えるストローク訂正装置であって、
前記取得ユニットが、入力ストローク動作を受信するよう構成され、
前記判定ユニットが、前記ストローク動作またはストロークタイプにより、前記ストローク動作が消去動作であるかどうかを判定するよう構成され、
前記ストローク消去ユニットが、前記消去動作による訂正を実行するよう構成され、
前記表示ユニットが、前記ストローク動作に応じて処理された文字を表示するよう構成される、ストローク訂正装置。
【請求項８】
前記ストローク消去ユニットがさらに、文字記憶サブユニットと、文字照合サブユニットと、選択情報取得サブユニットと、を備え、
前記文字記憶サブユニットが、前記文字を保存するよう構成され、
前記文字照合サブユニットが、前記文字記憶サブユニットに保存されている前記文字と前記ストローク消去動作とを照合し、前記文字記憶サブユニットに保存されている合致する文字を前記表示ユニットに出力するよう構成され、
前記選択情報取得サブユニットが、文字の選択情報を取得し、前記選択情報に対応する前記文字を表示するよう前記表示ユニットに通知するよう構成される、
請求項７に記載のストローク訂正装置。
【請求項９】
ストローク動作およびストロークタイプを入力するよう構成された手書き装置であって、前記手書き装置の端部タイプが異なり、一方の端部が手書き入力用であり、他方の端部がストローク消去入力用である、手書き装置。
【請求項１０】
ストローク訂正装置と入力装置とを備える、タッチスクリーン誤り訂正システムであって、
前記入力装置が、ストローク動作を入力するよう構成され、
前記ストローク訂正装置が、前記ストローク動作を取得し、ストロークタイプを識別し、前記ストローク動作または前記ストロークタイプにより、前記ストローク動作がストローク消去動作であるかどうかを判定し、前記ストローク消去動作による訂正を実行し、前記ストローク動作に応じて処理された文字をタッチスクリーンに表示するよう構成される、システム。
【請求項１１】
ストローク訂正装置を備える端末であって、前記ストローク訂正装置が、取得ユニットと、判定ユニットと、ストローク消去ユニットと、表示ユニットと、を備え、
前記取得ユニットが、入力ストローク動作を受信するよう構成され、
前記判定ユニットが、前記ストローク動作またはストロークタイプにより、前記ストローク動作が消去動作であるかどうかを判定するよう構成され、
前記ストローク消去ユニットが、前記消去動作による訂正を実行するよう構成され、
前記表示ユニットが、前記ストローク動作に応じて処理された文字を表示するよう構成される、端末。
【請求項１２】
前記ストローク消去ユニットがさらに、文字記憶サブユニットと、文字照合サブユニットと、選択情報取得サブユニットと、を備え、
前記文字記憶サブユニットが、前記文字を保存するよう構成され、
前記文字照合サブユニットが、前記文字記憶サブユニットに保存されている前記文字と前記ストローク消去動作とを照合し、前記文字記憶サブユニットに保存されている合致する文字を前記ディスプレイユニットに出力するよう構成され、
前記選択情報取得サブユニットが、文字の選択情報を取得し、前記選択情報に対応する前記文字を表示するよう前記表示ユニットに通知するよう構成される、請求項１１に記載の端末。
【請求項１３】
前記ストローク動作および前記ストロークタイプを入力するよう構成された手書き装置であって、前記手書き装置の端部タイプが異なり、一方の端部が手書き入力用であり、他方の端部がストローク消去入力用である、手書き装置をさらに備える、請求項１１または１２に記載の端末。
【請求項１４】
前記ストローク動作を入力するよう構成された入力装置をさらに備える、請求項１１または１２に記載の端末。
【発明の詳細な説明】
【技術分野】
【０００１】
本発明は、通信システム用の知的端末（ｉｎｔｅｌｌｅｃｔｕａｌ  ｔｅｒｍｉｎａｌ）の分野に関し、より詳細には、タッチスクリーン誤り訂正（ｔｏｕｃｈ  ｓｃｒｅｅｎ  ｅｒｒｏｒ  ｃｏｒｒｅｃｔｉｏｎ）のための方法、システム、装置および端末に関する。
【背景技術】
【０００２】
コンピュータ技術の普及とともに、新しいヒューマンコンピュータインタラクション（人−コンピュータ間対話）技術、すなわちタッチスクリーン技術が、２０世紀の１９９０年代初期に登場した。タッチスクリーン技術では、ユーザが、指でコンピュータディスプレイ上のアイコンまたは文字に軽く触れることにより、ホストコンピュータに対する操作を実現することができる。したがって、キーボードやマウスの操作は必要とされず、人−コンピュータ間対話はより便利になる。したがって、タッチスクリーン技術は、現在、人間とコンピュータのコミュニケーションのための最も便利な入力技術である。
【０００３】
現在、タッチスクリーンは、液晶ディスプレイモジュール、携帯情報端末（ＰＤＡ）、パーソナルコンピュータ、家庭電化製品、移動電話、携帯式装置、工業用コンピュータ、ＰＯＳシステム、公共情報ステーション、電子ブック、自動車用ナビゲーションシステム、情報端末機器、手書き入力パネル、およびゲームコンソールに広く応用されている。さらに、抵抗式タッチスクリーン（ｒｅｓｉｓｔｉｖｅ  ｔｏｕｃｈ  ｓｃｒｅｅｎ）、共通音響タッチスクリーン（ｃｏｍｍｏｎ  ａｃｏｕｓｔｉｃ  ｔｏｕｃｈ  ｓｃｒｅｅｅｎ）、赤外線タッチスクリーンなど、多くのタイプのタッチスクリーンが開発されている。さらに、タッチスクリーンのタイプは、防爆、高精細および高知能について、依然として発展し続けている。
【０００４】
タッチ操作式移動電話が現在、移動電話開発の趨勢である。タッチを特徴とする移動電話は、従来のシングルタッチや現在のマルチタッチにかかわらず、常に多くの消費者を引きつけることができる。現在、多くの移動電話がタッチ操作に対応している。高性能製品としては、例えばマルチタッチ操作に対応しているアップル社のｉＰｈｏｎｅ（アイフォン）やＤｏｐｏｄ  Ｓ１などがあり、タッチスクリーンおよび手書き入力に対応している低価格製品は、ほんの数百人民元という価格である。
【０００５】
移動電話の手書き文字入力の原理は、以下のとおりである。入力機器、すなわちタッチスクリーンは、外部圧力情報を受け取り、受け取った情報をデータに変換し、そのデータをオペレーティングシステムの中央処理装置（ＣＰＵ）に返送する。次いで、圧力点でのドットマトリックス情報が収集され転送される。これによりＣＰＵは、入力文字を識別し、その文字をソフトウェアシステムによってディスプレイに表示する。
【０００６】
本発明の実施形態の実施プロセスにおいて、発明者らは、移動電話の従来技術での手書き入力には以下の欠点があることに気付いた。
【０００７】
タッチスクリーンに誤りが生じたとき、ペンを使用して特定のボタンをクリックすることによりストロークの一部ではなく文字全体しか削除されず、したがって手書き速度が低下し、このことはユーザにとってかなり不便でありうる。
【発明の概要】
【発明が解決しようとする課題】
【０００８】
本発明の実施形態は、文字のストローク入力誤りをタッチスクリーン上で迅速かつ正確に訂正するための、タッチスクリーン誤り訂正方法、システム、装置または端末を対象とする。
【課題を解決するための手段】
【０００９】
本発明の実施形態は、タッチスクリーン誤り訂正方法を提供する。本方法は、
入力ストローク動作を受信するステップと、
前記ストローク動作が消去動作であるどうかを、前記ストローク動作またはストロークタイプにより判定し、消去動作による訂正を実行し、消去動作によって訂正された文字をタッチスクリーンに表示するステップと
を含む。
【００１０】
本発明の実施形態はさらに、タッチスクリーン誤り訂正システムを提供する。本システムは、ストローク訂正装置および入力装置を備える。
【００１１】
入力装置は、ストローク動作を入力するよう構成される。
【００１２】
ストローク訂正装置は、ストローク動作を取得し、ストロークタイプを識別し、前記ストローク動作がストローク消去動作であるかどうかを前記ストローク動作または前記ストロークタイプにより判定し、ストローク消去動作による訂正を実行し、ストローク動作により処理された文字をタッチスクリーンに表示するよう構成される。
【００１３】
本発明の実施形態はさらに、ストローク訂正装置を提供する。ストローク訂正装置は、取得ユニット、判定ユニット、ストローク消去ユニット、および表示ユニットを備える。
【００１４】
取得ユニットは、入力ストローク動作を受信するよう構成される。
【００１５】
判定ユニットは、前記ストローク動作またはストロークタイプに基づいて前記ストローク動作が消去動作であるかどうかを判定するよう構成される。
【００１６】
ストローク消去ユニットは、消去動作による訂正を実行するよう構成される。
【００１７】
表示ユニットは、ストローク動作に応じて処理された文字を表示するよう構成される。
【００１８】
本発明の実施形態はさらに、手書き装置を提供する。手書き装置は、ストローク動作およびストロークタイプを入力するよう構成されており、異なるタイプの端部を有していて、一方の端部が新規の手書き入力用であり、他方の端部がストローク訂正用である。
【００１９】
本発明の実施形態はさらに、端末を提供する。端末はストローク訂正装置を備え、ストローク訂正装置は、取得ユニット、判定ユニット、ストローク消去ユニット、および表示ユニットを備える。
【００２０】
取得ユニットは、入力ストローク動作を受信するよう構成される。
【００２１】
判定ユニットは、前記ストローク動作が消去動作であるかどうかを、前記ストローク動作またはストロークタイプにより判定するよう構成される。
【００２２】
ストローク消去ユニットは、消去動作による訂正を実行するよう構成される。
【００２３】
表示ユニットは、前記ストローク動作に応じて処理された文字を表示するよう構成される。
【００２４】
従来技術と比べると、本発明の実施形態は以下の利点を有する。
【００２５】
タッチスクリーンは、タッチ装置の端部および誤り訂正動作に応じて入力誤りを訂正する。入力誤りを有するストロークはリアルタイムに訂正され、それによって手書き速度を上げることができる。
【図面の簡単な説明】
【００２６】
【図１】本発明の第１の実施形態によるタッチスクリーン誤り訂正方法の概略流れ図である。
【図２】本発明の第２の実施形態によるタッチスクリーン誤り訂正方法の概略流れ図である。
【図３】本発明の第２の実施形態による手書き装置の概略図である。
【図４】本発明の一実施形態によるタッチスクリーン誤り訂正システムの概略図である。
【発明を実施するための形態】
【００２７】
本発明について、実施形態および添付図を参照しながら以下にさらに詳細に説明する。
【００２８】
本発明の一実施形態は、タッチスクリーン誤り訂正方法を提供する。図１に示されているように、タッチスクリーン誤り訂正方法は、以下のステップを含む。
【００２９】
ステップｓ１０１で、入力ストローク動作を受信する。
【００３０】
ステップｓ１０２で、そのストローク動作が消去動作であると、ストローク動作またはストロークタイプにより判定されたとき、消去動作によって訂正された文字がタッチスクリーンに表示される。
【００３１】
このステップでは、そのストローク動作がストローク動作またはストロークタイプによる消去動作ではないと判定された場合、ストローク動作は筆記動作であると判定される。ストローク動作またはストロークタイプにより、前記ストローク動作が消去動作であると判定することは、以下のステップを含む。
【００３２】
ストロークタイプが第１の閾値条件に適合するとき、ストロークタイプに従って前記ストローク動作は消去動作であると判定される。
【００３３】
一方、ストロークタイプが第２の閾値条件に適合したとき、ストロークタイプに従って前記ストローク動作は筆記動作であると判定される。
【００３４】
第１の閾値条件および第２の閾値条件は、柔軟に設定されうる。例えば、第１の閾値条件が、指または手書き装置で覆われるタッチスクリーンの範囲が太いと設定された場合、第２の閾値条件は、指または手書き装置で覆われるタッチスクリーンの範囲が細いと設定される（「厚い」または「薄い」はスケール（規模）を意味する）。同様に、第１の閾値条件が、指または手書き装置で覆われるタッチスクリーンの範囲が細いと設定された場合、第２の閾値条件は、手または手書き装置で覆われるタッチスクリーンの範囲が太いと設定される。
【００３５】
本実施形態では、ストローク動作またはストロークタイプにより前記ストローク動作がストローク消去動作であると判定することは、以下のステップを含む。ストローク動作が元のストロークをたどるか、または元のストロークの一定範囲内で元のストロークを逆に辿る場合の少なくともいずれか、あるいはストローク動作が元のストロークの左右に頻繁に移動した場合、このストローク動作は消去動作であると判定される。
【００３６】
本実施形態の上記説明において、消去動作によって訂正された文字をタッチスクリーンに表示することは、詳細には以下のステップを含む。消去動作訂正後の文字に合致する複数の文字が、タッチスクリーンに表示される。選択情報が取得され、選択情報に対応する文字が表示される。
【００３７】
本発明の一実施形態は、タッチスクリーン誤り訂正方法を提供する。第１の実施形態は、図２に示されているような特定のシナリオに適用される。タッチスクリーン誤り訂正方法は、以下のステップを含む。
【００３８】
ステップｓ２０１で、タッチスクリーンで受信したストローク入力動作のストロークタイプに基づき、ユーザがストローク消去訂正を実行していると判定される。
【００３９】
このステップでは、手書き装置が図３に示されているようなものであってよい。手書き装置は、筆記端部１０と、手持ち端部２０と、誤り訂正端部３０とで形成される。筆記端部１０および誤り訂正端部３０は、端部の太さのスケールとして、適用シナリオによって異なる定義を有することができる。同時に、図３に示されている手書き装置の代わりに、指が直接使用されうる。タッチスクリーンは、指で覆われるタッチスクリーンの範囲に応じて分割される。図３に示されている手書き装置に対応して、親指がタッチスクリーンを大きい面積で覆うことは誤り訂正を意味し、指の先端部または親指の丸くなった部分（ｂｌｕｎｔ  ｐａｒｔ）がタッチスクリーンを小さい面積で覆うことは筆記、すなわち新規の手書き入力を意味する。このステップでは、入力のストロークタイプおよびストローク動作が同時に判定され、すなわち、ユーザがストローク入力を書き込むかまたは消去しているとき、システムも同時に入力ストロークタイプを取得する。
【００４０】
ステップｓ２０２で、ユーザのストローク入力動作による訂正が実行され、ストローク消去動作による訂正後の文字に合致する複数の文字がタッチスクリーンに表示される。
【００４１】
例えば、「申」が「日」に訂正されるとき、ユーザの入力動作は、「申」のストロークのうち垂直の元のストロークを、手書き装置の誤り訂正端部３０で消去することになる。次いで、システムは、「日」や「曰」などの、ストローク消去動作と合致または類似する文字をタッチスクリーンに表示する。システムの機能が許容する場合、「田」、「由」、「甲」などの他の類似文字がさらに表示されてもよい。
【００４２】
ステップｓ２０３で、選択情報が取得され、選択情報に対応する文字が表示される。
【００４３】
ユーザは、誤り訂正意図に適合する文字、例えば「日」を選択する。タッチスクリーンは「日」の選択情報を受け取り、タッチスクリーンに「日」を表示する。
【００４４】
本実施形態では、消去されるストロークは、ストローク全体またはストロークの一部とすることができる。例えば、「申」が「甲」に訂正されるとき、ユーザは、垂直ストロークの上部を部分的に消去するだけでよい。手書き装置の誤り訂正端部３０は、消しゴムとして機能する。同様に、システムは、ユーザが照合しようとする文字又は類似文字とを文字ライブラリから呼び出し、それらの文字をタッチスクリーンに表示する。ユーザは、１つを選択し、その選択を確認するだけでよい。
【００４５】
本発明の一実施形態は、タッチスクリーン誤り訂正方法を提供し、本方法において第１の実施形態は特定のシナリオに適用される。誤り訂正は、入力ストローク動作に従って実行される。誤り訂正のプロセスについて以下に説明する。
【００４６】
ユーザが、図３に示されている手書き装置の手書き端部１０を用いて、手書き入力を直接行う。ストローク動作が元の筆記ストロークの左右に頻繁に移動するか、あるいは元のストロークをたどるか、または元のストロークを元のストロークの一定範囲内で逆に辿るかの少なくともいずれかが検出されたとき、ストローク動作は消去動作であると判定される。例えば、ユーザが「申」を「甲」に訂正する必要があるとき、筆記端部１０は、「申」の垂直ストロークの上部で消去されるべき部分の左右に往復移動するように使用されるか、あるいは元のストロークをたどるか、または元のストロークを消去されるべき部分の一定範囲内で逆にたどるかの少なくともいずれかをする。このとき、システムはその動作が、ストロークの上部を消去する消去動作であると判定する。
【００４７】
上記の実施形態の説明では、ストローク動作またはストロークタイプにより、ストローク動作がストローク消去動作であるかどうかが判定される。この判定に用いられるストロークタイプは、実際には、指または手書き装置端部で物理的に覆われるタッチスクリーンの範囲を意味する。一方、本発明の技術的解決手段は、手書き装置を使用してボタンをクリックし、それによって文字全体を消去すること、すなわち、文字が間違っているときに文字全体が直接消去されうることも含む。
【００４８】
本発明の一実施形態は、タッチスクリーン誤り訂正システムも提供する。図４に示されているように、タッチスクリーン誤り訂正システムは、入力装置１００およびストローク訂正装置２００を備える。
【００４９】
入力装置１００は、ストローク動作を入力するよう構成される。
【００５０】
ストローク訂正装置２００は、ストローク動作を取得し、ストロークタイプを識別し、前記ストローク動作または前記ストロークタイプにより、前記ストローク動作がストローク消去動作であるかどうかを判定し、ストローク消去動作による訂正を実行し、消去動作によって訂正された文字をタッチスクリーンに表示するよう構成される。
【００５１】
ストローク訂正装置２００は、取得ユニット２１０、判定ユニット２２０、ストローク消去ユニット２３０、および表示ユニット２４０を備える。
【００５２】
取得ユニット２１０は、ストローク動作を取得するとともに、ストロークタイプを識別するよう構成される。
【００５３】
判定ユニット２２０は、ストローク動作およびストロークタイプの少なくともいずれかにより、ストローク動作がストローク消去動作であるかどうかを判定するよう構成される。
【００５４】
ストローク消去ユニット２３０は、消去動作による訂正を実行するよう構成される。
【００５５】
ディスプレイユニット２４０は、ストローク動作に応じて処理された文字をタッチスクリーンに表示するよう構成される。
【００５６】
ストローク消去ユニット２３０はさらに、文字記憶サブユニット２３１、文字照合サブユニット２３２、および選択情報取得サブユニット２３３を備える。
【００５７】
文字記憶サブユニット２３１は、文字を保存するよう構成される。
【００５８】
文字照合サブユニット２３２は、文字記憶サブユニット２３１に保存されている文字とストローク消去動作とを照合するとともに、文字記憶サブユニット２３１に保存されている合致する文字をディスプレイユニットに出力するよう構成される。
【００５９】
選択情報取得サブユニット２３３は、文字の選択情報を取得するとともに、その選択情報に対応する文字を表示するよう表示ユニット２４０に通知するよう構成される。
【００６０】
上記の実施形態の説明によれば、タッチスクリーンは、タッチ装置の端部および誤り訂正動作に応じて入力誤りを訂正し、それによって入力誤りを有するストロークをリアルタイムに訂正することで、手書き速度を上げる。
【００６１】
当業者は、本発明の実施形態によるタッチスクリーン誤り訂正用システム、ストローク訂正装置および手書き装置の少なくとも１つが機能要素として端末に一体化されうることを理解できることは明らかである。
【００６２】
上記の詳細な説明の記載によれば、本発明は、ソフトウェアの形態に加えて必要な汎用ニバーサルハードウェアプラットフォームで実施されうるとともに、ハードウェアの形でも確実に実施されうることが、当業者には明らかである。しかし、ほとんどの場合、前者の形態が好ましい。この理解に基づいて、本発明の技術的解決手段（すなわち従来技術と比べて本発明の改良された部分）の本質は、ソフトウェア製品の形態で実施されうる。コンピュータソフトウェア製品は、記憶媒体に保存されうる。ソフトウェア製品は、端末機器（例えば移動電話やＰＤＡ）が本発明の各実施形態で説明した方法を実行できるようにするためのいくつかの命令を含む。
【００６３】
上記には、本発明のいくつかの特定の実施形態だけが開示されている。しかし、本発明はこれらの実施形態に限定されない。当業者が想到できる、本発明に対する変形形態および変更形態は、本発明の範囲内にあるものとする。
【図１】
2010511260.tif 000003
【図２】
2010511260.tif 000004
【図３】
2010511260.tif 000005
【図４】
2010511260.tif 000006
【手続補正書】
【提出日】平成21年6月1日(2009.6.1)
【手続補正１】
【補正対象書類名】明細書
【補正対象項目名】０００１
【補正方法】変更
【補正の内容】
【０００１】
本出願は、２００７年１２月１３日出願の中国特許出願第２００７１０１９５７３０．１号の優先権を主張する、国際出願ＰＣＴ／ＣＮ２００８／０７３１１５号の優先権を主張する。上記出願の内容は全体として参照により本出願に組み込まれる。
本発明は、通信システム用の知的端末（ｉｎｔｅｌｌｅｃｔｕａｌ  ｔｅｒｍｉｎａｌ）の分野に関し、より詳細には、タッチスクリーン誤り訂正（ｔｏｕｃｈ  ｓｃｒｅｅｎ  ｅｒｒｏｒ  ｃｏｒｒｅｃｔｉｏｎ）のための方法、システム、装置および端末に関する。
【手続補正２】
【補正対象書類名】明細書
【補正対象項目名】００２５
【補正方法】変更
【補正の内容】
【００２５】
タッチスクリーンは、誤り訂正動作に応じて入力誤りを訂正する。入力誤りを有するストロークはリアルタイムに訂正され、それによって手書き速度を上げることができる。
【手続補正３】
【補正対象書類名】特許請求の範囲
【補正対象項目名】全文
【補正方法】変更
【補正の内容】
【特許請求の範囲】
【請求項１】
入力ストローク動作を受信し、
前記ストローク動作またはストロークタイプにより、前記ストローク動作が消去動作であると判定した場合、前記消去動作による訂正を実行し、前記消去動作によって訂正された文字をタッチスクリーンに表示すること
を含む、タッチスクリーン誤り訂正方法。
【請求項２】
前記ストローク動作または前記ストロークタイプにより、前記ストローク動作が前記消去動作ではないと判定した場合、前記ストローク動作によるストロークを表示することをさらに含む、請求項１に記載のタッチスクリーン誤り訂正方法。
【請求項３】
前記ストローク動作または前記ストロークタイプにより、前記ストローク動作が前記消去動作であると判定することが、
前記ストロークタイプが第１の閾値条件に適合した場合、前記ストローク動作が前記ストロークタイプによる前記消去動作であると判定すること
を含む、請求項１に記載のタッチスクリーン誤り訂正方法。
【請求項４】
前記ストローク動作または前記ストロークタイプにより、前記ストローク動作が前記消去動作ではないと判定することが、
前記ストロークタイプが第２の閾値条件に適合した場合、前記ストローク動作が筆記動作であると判定すること
を含む、請求項２に記載のタッチスクリーン誤り訂正方法。
【請求項５】
前記ストローク動作または前記ストロークタイプにより、前記ストローク動作が前記消去動作であると判定することが、
前記ストローク動作が元のストロークをたどるか、または前記元のストロークを前記元のストロークの一定範囲内で逆にたどるかの少なくともいずれか、あるいは前記元のストロークの左右に頻繁に移動した場合、前記ストローク動作が前記消去動作であると判定すること
を含む、請求項１に記載のタッチスクリーン誤り訂正方法。
【請求項６】
前記消去動作によって訂正された文字を前記タッチスクリーンに表示することが
前記消去動作によって訂正された文字に合致する複数の文字を前記タッチスクリーンに表示し、選択情報を取得し、前記選択情報に対応する文字を表示すること
を含む、請求項１に記載のタッチスクリーン誤り訂正方法。
【請求項７】
入力ストローク動作を受信するよう構成された取得ユニットと、
前記ストローク動作またはストロークタイプにより、前記ストローク動作が消去動作であるかどうかを判定するよう構成された判定ユニットと、
前記消去動作による訂正を実行するよう構成されたストローク消去ユニットと、
前記ストローク動作に応じて処理された文字を表示するよう構成された表示ユニットと、
を備えるストローク訂正装置。
【請求項８】
前記ストローク消去ユニットがさらに、
前記文字を保存するよう構成された文字記憶サブユニットと、
前記文字記憶サブユニットに保存されている前記文字と前記ストローク消去動作とを照合し、前記文字記憶サブユニットに保存されている合致する文字を前記表示ユニットに出力するよう構成された文字照合サブユニットと、
文字の選択情報を取得し、前記選択情報に対応する前記文字を表示するよう前記表示ユニットに通知するよう構成された選択情報取得サブユニットと、
を備える請求項７に記載のストローク訂正装置。
【請求項９】
２つの端部を有し、ストローク動作およびストロークタイプを入力するよう構成された手書き装置であって、前記手書き装置の端部のタイプが各々異なり、一方の端部が手書き入力用であり、他方の端部がストローク消去入力用である、手書き装置。
【請求項１０】
ストローク動作を入力するよう構成された入力装置と、
前記ストローク動作を取得し、ストロークタイプを識別し、前記ストローク動作または前記ストロークタイプにより、前記ストローク動作がストローク消去動作であるかどうかを判定し、前記ストローク消去動作による訂正を実行し、前記ストローク動作に応じて処理された文字をタッチスクリーンに表示するよう構成されたストローク訂正装置と、
を備える、タッチスクリーン誤り訂正システム。
【請求項１１】
ストローク訂正装置を備える端末であって、前記ストローク訂正装置が、
入力ストローク動作を受信するよう構成された取得ユニットと、
前記ストローク動作またはストロークタイプにより、前記ストローク動作が消去動作であるかどうかを判定するよう構成された判定ユニットと、
前記消去動作による訂正を実行するよう構成されたストローク消去ユニットと、
前記ストローク動作に応じて処理された文字を表示するよう構成された表示ユニットと、を備える、端末。
【請求項１２】
前記ストローク消去ユニットがさらに、
前記文字を保存するよう構成された文字記憶サブユニットと、
前記文字記憶サブユニットに保存されている前記文字と前記ストローク消去動作とを照合し、前記文字記憶サブユニットに保存されている合致する文字を前記ディスプレイユニットに出力するよう構成された文字照合サブユニットと、
文字の選択情報を取得し、前記選択情報に対応する前記文字を表示するよう前記表示ユニットに通知するよう構成された選択情報取得サブユニットと、
を備える、請求項１１に記載の端末。
【請求項１３】
前記ストローク動作および前記ストロークタイプを入力するよう構成された手書き装置であって、前記手書き装置の端部タイプが異なり、一方の端部が手書き入力用であり、他方の端部がストローク消去入力用である、手書き装置をさらに備える、請求項１１または１２に記載の端末。
【請求項１４】
前記ストローク動作を入力するよう構成された入力装置をさらに備える、請求項１１または１２に記載の端末。
【国際調査報告】
2010511260.tif 000007
2010511260.tif 000008
2010511260.tif 000009
2010511260.tif 000010
2010511260.tif 000011
2010511260.tif 000012
2010511260.tif 000013